(57)【要約】      （修正有）【課題】流通・経済・環境面への負荷を小さく、また、運搬時の液こぼれ、塵埃又は微生物のパウチ内への混入を効率的に防止するパウチを提供する。【解決手段】周縁がシールされた袋体の内部空間に流動性の物質を封止したパウチ１であって、袋体の周縁に配置され、パウチ１を吊り下げるための吊り下げ部７と、内部空間を挟んで吊り下げ部と反対側に配置され、内部空間から流動性の物質を注出するための注出口１２と、剪断可能に構成され、剪断によって袋体の内部空間を露出させる開封予定部８と、折り曲げ可能に構成され、剪断により露出する内部空間を、折り曲げによって再封する折り曲げ予定部と、折り曲げ予定部を挟んで互いに係合可能に配置され、再封後の袋体の形状を係合によって維持する一対の係合部１０、１１を少なくとも２つ有するパウチを構成する。【選択図】図１
0003159015.tif 000002
【実用新案登録請求の範囲】
【請求項１】
周縁がシールされた袋体の内部空間に流動性の物質を封止したパウチであって、
前記袋体の周縁に配置され、前記パウチを吊り下げるための吊り下げ部と、
前記内部空間を挟んで前記吊り下げ部と反対側に配置され、前記内部空間から前記流動性の物質を注出するための注出口と、
剪断可能に構成され、該剪断によって前記袋体の内部空間を露出させる開封予定部と、
折り曲げ可能に構成され、前記剪断により露出する内部空間を、該折り曲げによって再封する折り曲げ予定部と、
前記折り曲げ予定部を挟んで互いに係合可能に配置され、再封後の袋体の形状を該係合によって維持する一対の係合部と、を備え、
前記一対の係合部を少なくとも２つ有するパウチ。
【請求項２】
前記吊り下げ部が、前記一対の係合部を兼ねるか又は前記一対の係合部よりも前記注出口寄りの位置に配置されている請求項１に記載のパウチ。
【請求項３】
前記開封予定部が、前記内部空間を挟んで、前記注出口と対向する位置に配置されている請求項１又は請求項２のいずれか一項に記載のパウチ。
【請求項４】
前記一対の係合部を、前記袋体の両側周縁にそれぞれ設けた幅広部に各々少なくとも一つずつ有する請求項１乃至請求項３のいずれか一項に記載のパウチ。
【請求項５】
前記一対の係合部は、前記袋体を構成するフィルムに形成された舌部及び嵌合穴からなり、当該舌部を当該嵌合穴に嵌合することで前記再封された袋体の形状を維持する請求項１乃至請求項４のいずれか一項に記載のパウチ。
【請求項６】
前記舌部は、前記フィルムを円形状、馬蹄形状、楔状、又は舌状に切り欠いた形状を有する請求項５に記載のパウチ。
【請求項７】
前記勘合穴は、フィルムを線状、円形状、馬蹄形状、楔状、又は舌状に切り欠いた形状を有する請求項５又は請求項６のいずれか一項に記載のパウチ。
【請求項８】
前記パウチの幅が１１０ｍｍ以上２００ｍｍ以下である請求項１乃至請求項７のいずれか一項に記載のパウチ。
【考案の詳細な説明】
【技術分野】
【０００１】
本考案は、周縁がシールされた袋体の内部空間に流動性の物質を封止したパウチに関し、例えば、医療施設において手術前後や寝たきりの患者等へ栄養補給するための注出口付き流動食用吊り下げパウチに関する。
【背景技術】
【０００２】
医療施設において流動性の物質（例えば、栄養剤や流動食）を患者に投与する形態としては、イルリガートルを使用する場合と吊り下げパウチを使用する場合とに大別される。近年では衛生性確保の観点から容器移し替えを必要としない注出口付き吊り下げパウチが多く使用されている。
【０００３】
注出口付き吊り下げパウチにおいては、パウチ内に予め封止された栄養剤や流動食とは別に、例えば、栄養剤や流動食の希釈化、患者への水分補給、容器・チューブの洗浄又は薬剤投与等のために、水等の液体を外部からパウチに供給する必要がある。そのため注出口付き吊り下げパウチは、液体を外部から供給するための注入手段を必要とする。
【０００４】
この注入手段の態様としては、注出口と似た形状の樹脂成形体による口栓を設ける場合（特許文献１）とパウチの一部を切り開くなどしてパウチを開口させる場合とがある（特許文献２、特許文献３）。パウチの一部を切り開く場合には、切り開いた部分を再封する手段が必要となり、この再封の手段としては、ジッパーを利用するもの（特許文献２）や、切り開いた部分を折り曲げにより再度封止するもの（特許文献３）がある。
【先行技術文献】
【特許文献】
【０００５】
【特許文献１】特開２００３−３２７２６３号公報
【特許文献２】特開２００１−２９９８７５号公報
【特許文献３】特開２００１−１９９４５７号公報
【考案の概要】
【考案が解決しようとする課題】
【０００６】
しかしながら、本発明者は従来技術には以下の不都合があることを問題点として強く認識した。すなわち、液体の注入手段として口栓を設ける場合には、口栓は液体を注入するための大きな口径を要し、パウチ形状が大きく嵩張ってしまうため、梱包・運搬など流通面の負荷が生じる。また、口栓の部品コストによる経済面及び口栓の廃棄による環境面への負荷も大きくなる。一方で、液体の注入手段としてパウチの一部を切り開く場合、切り開いた部分を再封する手段としてジッパーを採用すると部品コストによる経済面での負荷があり、また、切り開いた部分を折り曲げるタイプのものを採用すると、折り曲げによる封止が不完全になる場合があり、その場合、パウチを切り開いた後の運搬時等に、液こぼれや、塵埃又は微生物の混入のおそれがある。
【０００７】
そこで、本考案は、流通・経済・環境面での負荷がより小さく、また運搬時の液こぼれ、塵埃や微生物のパウチ内への混入を抑制することのできるパウチを提供することを目的とする。
【課題を解決するための手段】
【０００８】
本考案者は、口栓やジッパー等の他の部品を利用するのではなく、パウチの一部を切り開きその後折り曲げて再封するタイプを改善することで上記課題を効率的に解決できることを見出し、鋭意検討を行った。その結果、折り曲げを留める位置と方法がその目的に適合しうることを見出し、この知見に基づいて本考案をなすに至った。
【０００９】
すなわち、本考案としては以下のものが挙げられる。
【００１０】
〔１〕周縁がシールされた袋体の内部空間に流動性の物質を封止したパウチであって、前記袋体の周縁に配置され、前記パウチを吊り下げるための吊り下げ部と、前記内部空間を挟んで前記吊り下げ部と反対側に配置され、前記内部空間から前記流動性の物質を注出するための注出口と、剪断可能に構成され、該剪断によって前記袋体の内部空間を露出させる開封予定部と、折り曲げ可能に構成され、前記剪断により露出する内部空間を、該折り曲げによって再封する折り曲げ予定部と、前記折り曲げ予定部を挟んで互いに係合可能に配置され、再封後の袋体の形状を該係合によって維持する一対の係合部と、を備え、前記一対の係合部を少なくとも２つ有するパウチ。
【００１１】
上記〔１〕の構成によれば、吊り下げ部によりパウチを吊り下げた状態では、内部空間を挟んで吊り下げ部と反対側に配置された注出口が鉛直方向下方に配置されるので、注出口を介して、パウチ内の内部空間に封止された流動性の物質を注出させることができる。また、剪断部予定部を剪断することによりパウチの袋体の内部空間が露出されるので、口栓やジッパー等の部品を用いずに、例えば、栄養剤や流動食の希釈化、患者への水分補給、容器・チューブの洗浄又は薬剤投与等のために、水等の液体を外部からパウチに供給することができる。そして、液体の供給後は、折り曲げ予定部を折り曲げ露出した内部空間を再封しつつ、一対の係合部を係合させることで再封された袋体の形状を維持することができる。このとき、一対の係合部を少なくとも２つ有するので、折り曲げた袋体が少なくとも２点間で固定され、再封後の袋体の形状がより確実に維持される。これにより、再封後の運搬時の液こぼれ、塵埃や微生物のパウチ内への混入を抑制することができる。尚、本明細書において、「係合」とは、一方の要素と他方の要素が特定の位置関係を充足した場合に、一方の要素と他方の要素とが一体化され挙動を同一にすることを示し、典型的には、対応する形状を有する要素同士を嵌め合わせことによる嵌合、粘着性を有する要素同士を互いに合わせることによる結合等を含む。
【００１２】
〔２〕前記吊り下げ部が、前記一対の係合部の一部を兼ねるか又は前記一対の係合部よりも前記注出口寄りの位置に配置されている前記〔１〕に記載のパウチ。
【００１３】
上記〔２〕の構成によれば、吊り下げ部が一対の係合部の一部を兼ねることでパウチの成形を簡素化でき、また、吊り下げ部が一対の係合部よりも前記注出口寄りの位置に配置されることで、吊り下げ部によりパウチを吊り下げたままで、折り曲げ予定部を折り曲げることができる。
【００１４】
〔３〕前記開封予定部が、前記内部空間を挟んで、前記注出口と対向する位置に配置されている前記〔１〕又は前記〔２〕のいずれかに記載のパウチ。
【００１５】
上記〔３〕の構成によれば、外部から液体が注入される位置になる開封予定部が、内部空間を挟んで注出口と対向する位置に配置されるので、外部から注入する液体が収容される内部空間の容積を大きくとることができるとともに、注入する液体を効率良く注出口まで導くことができる。
【００１６】
〔４〕前記一対の係合部を、前記袋体の両側周縁にそれぞれ設けた幅広部に各々少なくとも一つずつ有する前記〔１〕乃至前記〔３〕のいずれかに記載のパウチ。
【００１７】
上記〔４〕の構成によれば、折り曲げた袋体を、袋体の両側周縁間で固定することができるので、再封後の袋体の形状をさらに確実に維持することができる。
【００１８】
〔５〕前記一対の係合部は、前記袋体を構成するフィルムに形成された舌部及び嵌合穴からなり、当該舌部を当該嵌合穴に係合することで前記再封した状態を維持する前記〔１〕乃至前記〔４〕のいずれかに記載のパウチ。
【００１９】
上記〔５〕の構成によれば、係合部を構成する舌部及び嵌合穴と袋体とが同じフィルムにより一体化して形成できるので、パウチが嵩張ることはなく、また係合部の製造コスト、部品コストも抑制することができる。
【００２０】
〔６〕前記舌部は、前記フィルムを円形状、馬蹄形状、楔状、又は舌状に切り欠いた形状を有する前記〔５〕に記載のパウチ。
【００２１】
上記〔６〕の構成によれば、舌部をフィルムの切り欠きにより容易に作成できる。
【００２２】
〔７〕前記嵌合穴は、フィルムを線状、円形状、馬蹄形状、楔状、又は舌状に切り欠いた形状の嵌合穴を有する前記〔５〕又は〔６〕に記載のパウチ。
【００２３】
上記〔７〕の構成によれば、嵌合穴をフィルムの切り欠きにより容易に作成できる。
【００２４】
〔８〕前記パウチの幅が１１０ｍｍ以上２００ｍｍ以下である前記〔１〕乃至〔７〕のいずれかに記載のパウチ。
【００２５】
本考案者は、従来のパウチにおいては、パウチの幅が１１０ｍｍ以上となると袋体の折り曲げが不完全になる問題が顕著になることを見出した。すなわち、上記〔８〕の構成によれば、上記〔１〕の構成による再封形状の安定化の効果をとりわけ得ることができる。
【考案の効果】
【００２６】
本考案のパウチを用いることにより、流通・経済・環境面への負荷を小さく、また、運搬時の液こぼれ、塵埃又は微生物のパウチ内への混入を効率的に防止することができる。
【図面の簡単な説明】
【００２７】
【図１】本考案の一実施形態に係るパウチの全体構成を示す正面図。
【図２】（A）乃至（C）は、同パウチの嵌合部の他の例を示す模式図。
【考案を実施するための形態】
【００２８】
以下、本考案について具体的に説明する。
本考案としては、周縁がシールされた袋体の内部空間に流動性の物質を封止したパウチであって、前記パウチを吊り下げるために前記袋体の周縁に配置された吊り下げ部と、前記内部空間を挟んで前記吊り下げ部と反対側に配置され、該内部空間に連通する連通孔を有する注出口と、剪断可能に構成され、該剪断によって前記袋体の内部空間を露出させる開封予定部と、折り曲げ可能に構成され、前記剪断により露出する内部空間を、該折り曲げによって再封する折り曲げ予定部と、前記折り曲げ予定部を挟んで互いに係合可能に配置され、前記再封後の袋体の形状を該係合によって維持する一対の係合部と、を備え、前記一対の係合部を少なくとも２つ有するパウチが挙げられる。
【００２９】
袋体の内部空間に封止される流動性の物質としては、パウチの用途に応じて適宜選択可能であり特に限定はないが、例えば、経腸流動食や経腸栄養剤等（以下、「流動食等」ともいう。）を用いることができる。
【００３０】
吊り下げ部としては、パウチを吊り下げる機能を有すれば特に限定はないが、例えば輸液用スタンドのフック等に掛けられるように、袋体の周縁に設けた穴としてもよいし、また例えば、輸液用スタンドに直接かけられるように、袋体の周縁に設けたフックとしてもよい。
【００３１】
ここで、吊り下げ部は、一対の係合部の一部を兼ねることが好ましい。例えば、一対の係合部の一方を開口穴とし、他方をこの開口穴に係合させるように構成した場合、この一方の開口穴を吊り下げ部としても用いて、輸液用スタンドのフック等に掛けるようにしてもよい。これにより、パウチの成形を簡素化できる。また別の態様として、吊り下げ部を、一対の係合部よりも注出口寄りの位置に配置させることも好ましい。この場合、一対の係合部及び（一対の係合部に挟まれて配置される）折り曲げ予定部は、吊り下げ部と注出口との間に配置されることはないので、吊り下げ部によってパウチを吊り下げて注出口から流動食等を注出可能としつつ、折り曲げ予定部を折り曲げることができる。尚、この場合、吊り下げ部の位置は、注出口寄りの位置であれば特に限定されないが、一対の係合部の近傍、例えば、パウチを吊り下げた状態で一対の係合部の直下になるように配置されることがより好ましい。
【００３２】
注出口は、流動食等をパウチの内部空間から注ぎ出すことができるのであれば、特に形状や材質等限定されないが、例えば、成形体からなる注ぎ口とすることができる。この成形体の材質としては、例えばポリプロピレン若しくはポリエチレン等のプラスチック又はアルミ若しくはチタン等の金属が挙げられる。尚、注出口は、栄養点滴セット等の流動食等を患者に投与する器具と接続可能に構成することが好ましい。注出口の位置は、内部空間を挟んで吊り下げ部と反対側で、パウチを吊り下げた場合に流動食等を注出できる位置であれば特に限定されないが、袋体の周縁の特に内部空間を挟んで吊り下げ部と対称の位置に配置することが好ましい。この場合、吊り下げ部によってパウチを吊り下げた場合に、注出口が鉛直方向で最下端に配置されるので、内部空間の流動食等を重力によって注出口に効率的に導出させることができる。
【００３３】
開封予定部は、剪断によって前記袋体の内部空間を露出させることができるものであれば特に限定されないが、例えば、印刷などにより切り取り位置（袋開封線）を示し、鋏などでパウチを剪断できるように構成してもよいし、また例えば、パウチを構成する積層フィルムに一軸延伸フィルムなど易引き裂き性のあるフィルムを使用することで構成してもよい。この際、パウチにレーザー光照射加工によってハーフカット線を設けるなど切り取りを容易にする手段を組み合わせて講じてもよい。尚、開封予定部の切り取りの開始部にはＩノッチ又はＶノッチなどノッチを設けてもよい。開封予定部の剪断後、露出した内部空間には、流動食等の希釈化、患者への水分補給、容器・チューブの洗浄又は薬剤投与等のために、水等の液体が外部から供給される。従って、注出口と開封予定部との間の容積を可能な限り大きく取ることが好ましく、開封予定部は、内部空間を挟んで注出口と対向して配置することが好ましい。また、開封予定部は、剪断後に外部から液体を注入することを容易にすべく、例えば、袋体の幅方向に一方の周縁から他方の周縁まで線状又は帯状に設けることが好ましい。
【００３４】
折り曲げ予定部は、この折り曲げ予定部において袋体を折り曲げることで、開封予定部の剪断により露出する内部空間を再度封止する位置にあれば、特に限定はないが、内部空間の容積を可能な限り大きくとるために、開封予定部の近傍に配置することが好ましい。例えば、パウチを吊り下げた状態で開封予定部の直下に位置する箇所において、袋体の幅方向に一方の周縁から他方の周縁まで線状又は帯状に設けることが好ましい。開封予定部には、折り曲げる位置を分かりやすくするために、印刷等により線状や帯状の印を付与してもよい。
【００３５】
一対の係合部としては、折り曲げ予定部を挟んで互いに係合可能に配置され、再封後の袋体の形状を係合によって維持することができれば、特に限定はないが、例えば、パウチの袋体を構成する部材（例えばフィルム）に付随する舌部及び嵌合穴から構成し、当該舌部を当該嵌合穴に嵌合することで、再封後の袋体の形状を維持するようにしてもよい。舌部の形状としては、例えばフィルムを円形状、馬蹄形状、楔状、又は舌状に切り欠いた形状が挙げられる。この場合、舌部としては、切り欠いたフィルム片でなく、別途フィルム片を貼り付けてもよい。勘合穴の形状としては、舌部を嵌合することができる形状であれば特に限定されないが、例えばフィルムを線状、円形状、馬蹄形状、楔状、又は舌状に切り欠いた形状が挙げられる。
【００３６】
一対の係合部は、パウチに少なくとも２つ設けられている。再封後の袋体の形状をより確実に維持するために、一対の係合部は、パウチの袋体の両側周縁にそれぞれ設けた幅広部に各々配置されることが好ましいが、袋体の中央に設けることもできる。また、再封後の袋体の形状をより確実に維持するために、一対の係合部をパウチに３つ以上配置してもよい。
【００３７】
本考案のパウチは、用途に応じて適宜大きさや容積を変更可能であるが、パウチの幅は、１１０ｍｍ以上２００ｍｍ以下であることが好ましく、１４０ｍｍ以上１８０ｍｍ以下であることがより好ましく、パウチの高さは、９０ｍｍ以上３２０ｍｍ以下であることが好ましく、１２０ｍｍ以上２９０ｍｍ以下であることがより好ましい。
【００３８】
以下、図面を参照して、本考案の一実施形態に係るパウチについて詳細に説明する。本実施形態においては、流動食カテーテル等を通して患者の消化管に流動食等を投与するための容器として好適に用いられる、注出口付き吊り下げパウチ１について説明する。勿論、本考案のパウチはこれに限られるものではなく、用途に応じて適宜変更可能である。以下、本考案を実施するための形態について、図面を参照しつつ説明する。尚、図面中、同一の要素には同一の符号を付し、重複する説明を省略する。また、各図面中、上下左右等の位置関係は、特に断らない限り、図面に示す位置関係に基づくものとし、さらに図面の寸法比率は、図示の比率に限定されるものではない。
【００３９】
図１は、本考案の一実施形態に係るパウチの全体構成を示す正面図である。図１に示すように、パウチ１は、略長方形の一角を切り欠いた形状の一対の側壁フィルム２ａ、裏側２ｂ（以下、「側壁フィルム２」ともいう）を互いに対向させて、長辺側となる左右側縁と短辺側となる上下縁とをそれぞれヒートシールした袋体として製袋されている。袋体の内部の空間には、加圧殺菌された流動食等（図示せず）が封止されている。
【００４０】
側壁フィルム２は、上縁がヒートシールされてなる所定幅の上ヒートシール部３、左右側縁がヒートシールされてなる所定幅のサイドヒートシール部４、５及び下縁がヒートシールされてなる所定幅の下ヒートシール部６を有する。サイドヒートシール部４、５の上側部分には、ヒートシールの幅が他の側縁より大きい幅広部４０、５０がそれぞれ形成されている。尚、パウチ１の製造時においては、上ヒートシール部３、サイドヒートシール部４、５、下ヒートシール部のいずれか一部は、流動食等の充填及び加圧殺菌後にヒートシールされる。本実施形態においては、左右側縁の間隔がパウチ１の幅となり、例えば、１１０ｍｍ以上２００ｍｍ以下の幅で形成されている。また、上下縁の間隔がパウチの高さとなり、例えば、９０ｍｍ以上３２０ｍｍ以下の高さで形成されている。
【００４１】
幅広部４０の下側部分には、円形状の吊り下げ穴７が設けられている。吊り下げ穴７は、本考案における吊り下げ部として機能し、円形状の開口に、輸液用スタンドのフック等を通すことで、パウチ１を吊り下げることが可能となる。
【００４２】
吊り下げ穴７の上方には、袋開封線８が形成されている。袋開封線８は、幅広部４０上側の側縁と幅広部５０の上側の側縁との間で、上ヒートシール部３に平行な直線状の点線として構成されている。袋開封線８は、例えば、印刷等により形成される。袋開封線８は、本考案における開封予定部として機能し、点線に沿ってパウチ１を剪断することで、袋体の内部空間を露出させることが可能である。尚、剪断位置をより明確にし、かつ剪断を容易にするために、袋開封線８の端部にＶノッチやＩノッチを設けることができる。また開封を容易にするために方向性ナイロン（易開封性ナイロン）を使用するほかレーザー光照射加工によって形成したハーフカット線を設けることもできる。
【００４３】
袋開封線８と吊り下げ穴７の間には、側壁フィルム２の折り曲げ位置を示す折り曲げ線９が設けられている。折り曲げ線９は、幅広部４０中央寄りの側縁と幅広部５０中央寄りの側縁との間で、上ヒートシール部３に平行な点線として構成されている。折り曲げ線は、例えば印刷等により形成されるが、袋開封線８との混同を避けるために、折り曲げ線９の点線の形状や色等を袋開封線８と異ならせてもよい。折り曲げ線９は、本考案における折り曲げ予定部として機能し、袋開封線８の剪断後に、折り曲げ線９の点線に沿って側壁フィルム２を折り曲げることで、剪断により露出される袋体の内部空間を再度封止することができる。
【００４４】
幅広部４０内の折り曲げ線９を上下に挟んだ位置には、一対の嵌合部１０が設けられている。一対の嵌合部１０は、側壁フィルム２に付随する舌部１０ａと、舌部１０ａと折り曲げ線９を挟んで対称位置に配置された嵌合穴１０ｂとから構成されている。同様に、幅広部５０内の折り曲げ線９を上下にはさんだ位置には嵌合部１１が設けられている。一対の嵌合部１１は、舌部１１ａと、舌部１１ａと折り曲げ線９を挟んで対称位置に配置された嵌合穴１１ｂとから構成されている。ここで、舌部１０ａ、１１ａは、側壁フィルム２を舌状に切り欠いたフィルム片で形成され、また、嵌合穴１０ｂ、１１ｂは、舌部１０ａ、１１ａと嵌合すべく側壁フィルム２を線状に切り欠いた形状からなる。
【００４５】
一対の嵌合部１０、１１は、本考案の一対の係合部として機能し、折り曲げ線９をガイドとして側壁フィルム２を折り曲げた後、舌部１０ａ、１１ａを勘合穴１０ｂ、１１ｂにそれぞれ差し込むことによって、折り曲げた状態（再封した部分の形状）を維持するようになっている。尚、舌部１０ａ、１１ａは、図２（Ａ）乃至（Ｃ）に示すように、嵌合穴１０ｂ、１１ｂの切り欠きの幅より広い部分を有する円形状、楔状、馬蹄形状として構成してもよい。これにより、嵌合後の嵌合外れを防止することができる。また、勘合穴１０ｂ、１１ｂは、図１や図２においては直線形状の態様を示しているが、舌部１０ａ、１１ａと嵌合するのであれば、特に形状に限定はない。また、一対の嵌合部１０、１１は幅広部４０、５０のそれぞれに２つ以上設けることもできる。
【００４６】
下ヒートシール部６の傾斜部６０には、注出口１２が設けられている。注出口１２は、袋体の内部空間を挟んで、吊り下げ穴７と反対側の位置、より詳細には対称の位置に配置されている。注出口１２は、袋体の内部空間に連通する中空管１２ａと、この中空管１２ａの先端部と嵌合するキャップ１２ｂとで構成されている。パウチ１の使用前の封止状態をより確実に維持するために、中空管１２ａの先端に、インナーシールを貼り付けたり、キャップ１２ａを熱融着したりする等してもよい。
【００４７】
側壁フィルム２の材質としては、バリア性フィルム（例：シリカ蒸着フィルム、アルミ蒸着フィルム）、ナイロン、ポリプロピレン等、内容物の種類に応じて適宜選択される。特に、内容物たる流動食等に対する酸素透過性や水蒸気透過性を極力抑制するためと透視性の点で、バリア性フィルムとしては金属酸化物薄膜が好ましく、方向性ナイロン（易開封性ナイロン）またはポリエチレンテレナフタレート（ＰＥＴ）が別々に２層存在してナイロン層を挟む積層フィルムが好ましい。
【００４８】
本考案のパウチ１は例えば次のようにして使用される。すなわち、吊り下げ穴７を輸液用スタンドのフック等を通すことで、パウチ１を懸架する。そして、注出口１２のキャップ１２ｂを取り外すと共に、流動食カテーテル等のチューブを注出口１２の中空管１２ａに接続する。注出口１２は、パウチ１が吊り下げられた状態で鉛直方向最下部に配置されるので、パウチ１の袋体の内部空間に封止されていた流動食を注出口１２から効率的に注出し、患者に供給することができる。流動食等の希釈化、患者への水分補給、容器・チューブの洗浄又は薬剤投与等のために、水等の液体をパウチ１に外部から供給する必要がある場合は、袋開封線８に沿って側壁フィルム２を剪断する。そして、パウチ１の幅方向に沿って袋体の内部を露出させ、外部から液体を供給する。液体の供給後は、折り曲げ線９に沿って、側壁フィルム２を折り曲げるとともに、嵌合部１０、１１の舌部１０ａ、１１ａを、嵌合穴１０ｂ、１１ｂと嵌合させることで、露出した袋体の内部を再度封止する。嵌合部１０、１１は袋体の左右両側縁にそれぞれ配置されているので、折り曲げた形状がしっかりと維持され、パウチ１を切り開いた後の運搬時等に再封状態が緩み、液こぼれや、塵埃又は微生物の混入してしまうことを抑制することができる。
【００４９】
次に、実施例及び比較例によって本考案に係るパウチの優れた効果を説明する。
【００５０】
[実施例１]
まず、調合タンクに温水６０℃を所定量入れ、植物油、乳化剤、カゼインナトリウム、濃縮乳たんぱく、大豆ペプチド、デキストリン、ミネラル混合物、ビタミンミックス、香料を所定量投入し混合攪拌して溶解、静置後、ホモゲナイザー（乳化機）を用いて乳化を行い、流動食溶液を調製した。
【００５１】
そして、上記流動食溶液４００ｍｌを、一対の側壁フィルム２ａ、２ｂの一部を除いてヒートシールして形成した内部空間に収容し、熱水スプレー式揺動型レトルト殺菌機を用いて１２１℃１５分間の殺菌を行った。その後、一対の側壁フィルム２ａ、２ｂの残る開口部分をヒートシールすることで、上記したパウチ１と同一構造のパウチを作製した（以下、「パウチＡ」という）。ここで、パウチＡの側壁フィルム２には、セラミック蒸着ＰＥＴ（１２μｍ）、易開封性ナイロン（１５μｍ、２層）、ポリプロピレン（７０μｍ）を用いた。また、注出口１２には、ポリプロピレンを用い、中空管１２ａの内径は１６ｍｍとした。
【００５２】
次に、袋開封線８を用いて上ヒートシール部２と平行にパウチＡを剪断し、パウチＡを開封した。そして、切り開いた露出部に、計量カップを用いて蒸留水を３００ｍｌ注水した。
【００５３】
次に、パウチＡを吊り下げ穴７を用いてキャスター付き輸液用スタンド（テルモ社製、ＴＥ-８０２）のフックに懸架し、折り曲げ線９に沿って折り曲げ、左右に一対ずつある嵌合部１０、１１を用いて露出した袋体の内部を再度封止した。
【００５４】
このパウチＡをキャスター付き輸液用スタンドのフックに懸架した状態で、輸液用スタンドを手で押して、歩く速度で廊下を２０ｍ移動させた後、移動に伴う内容物のこぼれを観察した。こぼれ量の測定は、流動食溶液と３００ｍｌ注水した蒸留水との合計液量を移動前後に各々測定し、差し引きして算出した。
【００５５】
また内容物中の開封後における微生物の増殖度合いを調査するためパウチを室内に放置し、経時的に一般生菌数を測定した。一般生菌数の測定法は食品衛生検査指針（1990年発行、発行所：社団法人  日本食品衛生協会）に準拠した生菌数測定法（希釈平板法）を用い、培地はポテト・デキストロース寒天培地（ＰＤＡ培地）、培養温度・時間は３７℃５日間で判定を行った。これらの測定結果を表１に示した。
【００５６】
[比較例１]
一対の嵌合部１１がない点以外はパウチＡと同様のパウチＢを作成し、パウチＡと同一の条件で、上記移動に伴う内容物こぼれ量及び経時的な一般生菌数を測定した。測定中、パウチＢは、一対の嵌合部１１がないため、折り曲げ状態は、一対の嵌合部１０のみで維持された。この測定結果を表１に示した。
【００５７】
[比較例２]
一対の嵌合部１０がない点以外はパウチＡと同様のパウチＣを作成し、パウチＡと同一の条件で、上記移動に伴う内容物こぼれ量及び経時的な一般生菌数を測定した。測定中、パウチＣは、一対の嵌合部１０がないため、折り曲げ状態は、一対の嵌合部１１のみで維持された。この測定結果を表１に示した。
【００５８】
尚、上記実施例１、比較例１及び比較例２における測定結果は、それぞれ５回並行して行った結果の平均値として表わした。
【表１】
0003159015.tif 000003
【００５９】
表１に示す通り、実施例１では開封後の運搬時の液の揺れによる液こぼれを、比較例１、比較例２に比べて大きく抑制することができた。また、３日後の生菌数の比較から明らかなように、実施例１では比較例１や比較例２に比べて開封後の微生物の増殖を遅らせることができた。これは実施例１のパウチＡにおいては、塵埃とともに落下する微生物がパウチ内へ混入することが抑制されているためである。このように、本実施例１に係るパウチＡは、一対の嵌合部を２つ有することにより、運搬時の液こぼれ、塵埃又は微生物のパウチ内への混入を効率的に防止していることが確認された。
【産業上の利用可能性】
【００６０】
本考案は、周縁がシールされた袋体の内部空間に流動性の物質を封止したパウチとして好適である。
【符号の説明】
【００６１】
１  ……パウチ
２  ……側壁フィルム
２ａ……側壁フィルム（表面）
２ｂ……側壁フィルム（裏面）
３  ……上ヒートシール部
４  ……サイドヒートシール部
４０……幅広部
５  ……サイドヒートシール部
５０……幅広部
６  ……下ヒートシール部
６０……傾斜部
７……吊り下げ穴
８……袋開封線
９……折り曲げ線
１０……嵌合部
１０ａ…舌部
１０ｂ…嵌合穴
１１……嵌合部
１１ａ…舌部
１１ｂ…嵌合穴
１２……注出口
１２ａ…中空管
１２ｂ…キャップ
【図１】
0003159015.tif 000004
【図２】
0003159015.tif 000005
【手続補正書】
【提出日】平成22年2月23日(2010.2.23)
【手続補正１】
【補正対象書類名】実用新案登録請求の範囲
【補正対象項目名】全文
【補正方法】変更
【補正の内容】
【実用新案登録請求の範囲】
【請求項１】
周縁がシールされた袋体の内部空間に流動性の物質を封止したパウチであって、
前記袋体の周縁に配置され、前記パウチを吊り下げるための吊り下げ部と、
前記内部空間を挟んで前記吊り下げ部と反対側に配置され、前記内部空間から前記流動性の物質を注出するための注出口と、
剪断可能に構成され、該剪断によって前記袋体の内部空間を露出させる開封予定部と、
折り曲げ可能に構成され、前記剪断により露出する内部空間を、該折り曲げによって再封する折り曲げ予定部と、
前記折り曲げ予定部を挟んで互いに係合可能に配置され、再封後の袋体の形状を該係合によって維持する一対の係合部と、を備え、
前記一対の係合部を少なくとも２つ有するパウチ。
【請求項２】
前記吊り下げ部が、前記一対の係合部を兼ねるか又は前記一対の係合部よりも前記注出口寄りの位置に配置されている請求項１に記載のパウチ。
【請求項３】
前記開封予定部が、前記内部空間を挟んで、前記注出口と対向する位置に配置されている請求項１又は請求項２のいずれか一項に記載のパウチ。
【請求項４】
前記一対の係合部を、前記袋体の両側周縁にそれぞれ設けた幅広部に各々少なくとも一つずつ有する請求項１乃至請求項３のいずれか一項に記載のパウチ。
【請求項５】
前記一対の係合部は、前記袋体を構成するフィルムに形成された舌部及び嵌合穴からなり、当該舌部を当該嵌合穴に嵌合することで前記再封された袋体の形状を維持する請求項１乃至請求項４のいずれか一項に記載のパウチ。
【請求項６】
前記舌部は、前記フィルムを円形状、馬蹄形状、楔状、又は舌状に切り欠いた形状を有する請求項５に記載のパウチ。
【請求項７】
前記嵌合穴は、フィルムを線状、円形状、馬蹄形状、楔状、又は舌状に切り欠いた形状を有する請求項５又は請求項６のいずれか一項に記載のパウチ。
【請求項８】
前記パウチの幅が１１０ｍｍ以上２００ｍｍ以下である請求項１乃至請求項７のいずれか一項に記載のパウチ。
【手続補正２】
【補正対象書類名】明細書
【補正対象項目名】００３５
【補正方法】変更
【補正の内容】
【００３５】
一対の係合部としては、折り曲げ予定部を挟んで互いに係合可能に配置され、再封後の袋体の形状を係合によって維持することができれば、特に限定はないが、例えば、パウチの袋体を構成する部材（例えばフィルム）に付随する舌部及び嵌合穴から構成し、当該舌部を当該嵌合穴に嵌合することで、再封後の袋体の形状を維持するようにしてもよい。舌部の形状としては、例えばフィルムを円形状、馬蹄形状、楔状、又は舌状に切り欠いた形状が挙げられる。この場合、舌部としては、切り欠いたフィルム片でなく、別途フィルム片を貼り付けてもよい。嵌合穴の形状としては、舌部を嵌合することができる形状であれば特に限定されないが、例えばフィルムを線状、円形状、馬蹄形状、楔状、又は舌状に切り欠いた形状が挙げられる。
【手続補正３】
【補正対象書類名】明細書
【補正対象項目名】００４５
【補正方法】変更
【補正の内容】
【００４５】
一対の嵌合部１０、１１は、本考案の一対の係合部として機能し、折り曲げ線９をガイドとして側壁フィルム２を折り曲げた後、舌部１０ａ、１１ａを嵌合穴１０ｂ、１１ｂにそれぞれ差し込むことによって、折り曲げた状態（再封した部分の形状）を維持するようになっている。尚、舌部１０ａ、１１ａは、図２（Ａ）乃至（Ｃ）に示すように、嵌合穴１０ｂ、１１ｂの切り欠きの幅より広い部分を有する円形状、楔状、馬蹄形状として構成してもよい。これにより、嵌合後の嵌合外れを防止することができる。また、嵌合穴１０ｂ、１１ｂは、図１や図２においては直線形状の態様を示しているが、舌部１０ａ、１１ａと嵌合するのであれば、特に形状に限定はない。また、一対の嵌合部１０、１１は幅広部４０、５０のそれぞれに２つ以上設けることもできる。